(57)【要約】【課題】  印刷物のオリジナルのドキュメントを取得して画像形成する際に、当該印刷物でのプリントオプション等、画像形成条件に基づいて画像形成処理し、印刷物と均等な複製物を生成できる画像形成装置、並びに画像処理装置を提供する。【解決手段】  画像形成装置１が、形成の対象となった画像データを受け入れ、当該画像データを記録媒体上に形成する際の形成条件に係る情報を記述した記述情報を生成し、この記述情報を、画像データに合成した合成画像データを記録媒体上に形成する。【選択図】        図１
2006001143.tif 000002
【特許請求の範囲】
【請求項１】
形成の対象となった画像データを受け入れる手段と、
前記画像データを記録媒体上に形成する際の形成条件に係る情報を記述した記述情報を生成する記述情報生成手段と、
前記記述情報と、前記画像データとを記録媒体上に形成する手段と、
を含むことを特徴とする画像形成装置。
【請求項２】
形成の対象となった画像データを受け入れる手段と、
前記画像データを記録媒体上に形成する際の形成条件に係る情報を記述した記述情報を生成する記述情報生成手段と、
前記記述情報を、前記画像データに合成し、合成画像データを生成する手段と、
当該生成した合成画像データを記録媒体上に形成する手段と、
を含むことを特徴とする画像形成装置。
【請求項３】
請求項１又は２に記載の画像形成装置であって、
記述情報生成手段は、前記形成の対象となった画像データの格納場所を表す参照情報を、前記形成条件に係る情報とともに前記記述情報に含めて記述情報を生成することを特徴とする画像形成装置。
【請求項４】
請求項１から３のいずれか一項に記載の画像形成装置であって、
前記形成条件に係る情報には、少なくとも、画像形成装置ごとに固有に設定される、固有情報が含まれることを特徴とする画像形成装置。
【請求項５】
請求項４に記載の画像形成装置であって、
前記固有情報には、色補正プロファイルに関する情報が含まれることを特徴とする画像形成装置。
【請求項６】
請求項１から５のいずれか一項に記載の画像形成装置によって前記合成画像データの形成を受けた記録媒体から読み取った前記記述情報を取得する手段と、
前記読み取られた記述情報に記述された形成条件に係る情報を抽出し、形成の対象となった画像データとともに、前記抽出した形成条件に係る情報を出力する手段と、
を含む画像処理装置。
【請求項７】
形成の対象となった画像データを取得する手段と、
当該画像データの取得元を特定する情報を記述した記述情報を生成する記述情報生成手段と、
前記記述情報を、前記画像データに合成し、合成画像データを生成する手段と、
当該生成した合成画像データを記録媒体上に形成する手段と、
を含むことを特徴とする画像形成装置。
【請求項８】
形成の対象となった画像データを受け入れ、
前記画像データを記録媒体上に形成する際の形成条件に係る情報を記述した記述情報を生成し、
前記記述情報と、前記画像データとを記録媒体上に形成する、
ことを特徴とする画像形成装置の制御方法。
【請求項９】
コンピュータに、
形成の対象となった画像データを受け入れる機能と、
前記画像データを記録媒体上に形成する際の形成条件に係る情報を記述した記述情報を生成する機能と、
前記記述情報と、前記画像データとを記録媒体上に形成する機能と、
を実現させることを特徴とするプログラム。
【発明の詳細な説明】
【技術分野】
【０００１】
本発明は、プリンタや複合機等の画像形成装置、並びにそれらに形成の対象となる画像データを提供する画像処理装置に関する。
【背景技術】
【０００２】
印刷されたドキュメントの複製物を作成するために、複写機が広く利用されている。しかしながら、複写機によって複写された結果は、オリジナルのドキュメントに比べてある程度劣化することが多い。
【０００３】
そこで、ネットワーク技術を利用して、オリジナルのドキュメントをネットワークを介して取得し、印刷することで、ドキュメントの複製物を生成することができるようになっている（特許文献１）。
【特許文献１】特開平８−０８７５６４号公報
【発明の開示】
【発明が解決しようとする課題】
【０００４】
しかしながら、上記従来の特許文献１に開示の技術によれば、オリジナルのドキュメントを取得することはできるが、複製しようとしている当該印刷物のプリントオプション（スクリーン線数や色補正プロファイルなどの画質に関係する情報や、複数ページを１枚の用紙に収めるといった面付け指定のオプションなどの有無といった印刷態様に関係する情報など）までは分からないので、取得したオリジナルの印刷結果が、複製しようとしている印刷物と均等なものとなるとは限らない。
【０００５】
本発明は上記実情に鑑みて為されたもので、印刷物のオリジナルのドキュメントを取得して画像形成する際に、当該印刷物でのプリントオプション等、画像形成条件に基づいて画像形成処理し、印刷物と均等な複製物を生成できる画像形成装置、並びに画像処理装置を提供することを、その目的の一つとする。
【課題を解決するための手段】
【０００６】
上記従来例の問題点を解決するための本発明は、画像形成装置であって、形成の対象となった画像データを受け入れる手段と、前記画像データを記録媒体上に形成する際の形成条件に係る情報を記述した記述情報を生成する記述情報生成手段と、前記記述情報と、前記画像データとを記録媒体上に形成する手段と、を含むことを特徴としている。ここで前記記述情報と、前記画像データとは、合成されてもよいし、それぞれ一つの記録媒体の表裏などに形成されてもよい。また、別々の記録媒体に記録されてもよい。
【０００７】
上記従来例の問題点を解決するための本発明は、画像形成装置であって、形成の対象となった画像データを受け入れる手段と、前記画像データを記録媒体上に形成する際の形成条件に係る情報を記述した記述情報を生成する記述情報生成手段と、前記記述情報を、前記画像データに合成し、合成画像データを生成する手段と、当該生成した合成画像データを記録媒体上に形成する手段と、を含むことを特徴としている。
【０００８】
ここで、記述情報生成手段は、前記形成の対象となった画像データの格納場所を表す参照情報を、前記形成条件に係る情報とともに前記記述情報に含めて記述情報を生成することとしてもよい。さらに前記形成条件に係る情報には、少なくとも、画像形成装置ごとに固有に設定される、固有情報が含まれることとしてもよい。ここで固有情報には、色補正プロファイルに関する情報が含まれることとしてもよい。
【０００９】
また、上記従来例の問題点を解決するための本発明は、画像処理装置であって、上述の画像形成装置によって前記合成画像データの形成を受けた記録媒体から読み取った前記記述情報を取得する手段と、前記読み取られた記述情報に記述された形成条件に係る情報を抽出し、形成の対象となった画像データとともに、前記抽出した形成条件に係る情報を出力する手段と、を含むことを特徴としている。
【００１０】
さらに、上記従来例の問題点を解決するための本発明は、画像形成装置であって、形成の対象となった画像データを取得する手段と、当該画像データの取得元を特定する情報を記述した記述情報を生成する記述情報生成手段と、前記記述情報を、前記画像データに合成し、合成画像データを生成する手段と、当該生成した合成画像データを記録媒体上に形成する手段と、を含むことを特徴としている。
【００１１】
また、本発明の一態様に係る画像形成装置の制御方法は、形成の対象となった画像データを受け入れ、前記画像データを記録媒体上に形成する際の形成条件に係る情報を記述した記述情報を生成し、前記記述情報と前記画像データとを記録媒体上に形成する、をことを特徴としている。
【００１２】
さらに本発明の別の態様に係るプログラムは、コンピュータに、形成の対象となった画像データを受け入れる機能と、前記画像データを記録媒体上に形成する際の形成条件に係る情報を記述した記述情報を生成する機能と、前記記述情報と画像データとを記録媒体上に形成する機能と、を実現させることを特徴としている。
【発明を実施するための最良の形態】
【００１３】
［第１実施形態］
本発明の第１の実施の形態について図面を参照しながら説明する。本実施の形態に係る画像処理システムは、図１に示すように、画像形成装置１と、画像処理装置２とを含んで構成されている。ここで画像形成装置１は、制御部１１と、記憶部１２と、画像形成部１３と、通信部１４とを含んで構成され、画像処理装置２は、制御部２１と、記憶部２２と、ストレージ部２３と、操作部２４と、表示部２５と、スキャナ２６と、通信部２７とを含んで構成されている。
【００１４】
画像形成装置１の制御部１１は、ＣＰＵ（Central Processing Unit）等であり、記憶部１２に格納されているプログラムに従って動作しており、形成処理の対象となる画像データを受け入れて、この画像データを記録媒体上に形成する際の形成条件に係る情報を記述した記述情報を生成する処理（記述情報生成処理）と、ここで生成した記述情報を画像データに合成して、合成画像データを生成し、生成した合成画像データを画像形成部１３に出力する処理（画像形成処理）と、を主として行う。これらの各処理については、後に詳しく述べる。
【００１５】
記憶部１２は、ＲＡＭ（Random Access Memory）や、ＲＯＭ（Read Only Memory）等で実現され、制御部１１によって実行されるプログラムを格納している。また、この記憶部１２は、制御部１１の処理の実行に必要となる種々の情報を保持するワークメモリとしても動作する。
【００１６】
画像形成部１３は、制御部１１から入力される画像データや合成画像データを記録媒体としての用紙上に印字するなどして形成するものである。通信部１４は、画像処理装置２に接続されており、画像処理装置２側から形成処理の対象となった画像データなど、種々の情報を取得して、制御部１１に出力する。
【００１７】
画像処理装置２の制御部２１は、ＣＰＵ等であり、記憶部２２に格納されているプログラムに従って動作しており、形成処理の対象となる画像データを画像形成装置に送信する処理や、スキャナ２６にて読み取った記述情報（画像形成装置１によって形成された合成画像データから抽出した記述情報）を取得し、この読み取られた記述情報に記述されている形成条件に係る情報を抽出し、形成の対象となった画像データとともに、抽出した形成条件に係る情報を出力する処理（オリジナル再現処理）とを実行する。
【００１８】
記憶部２２は、ＲＡＭや、ＲＯＭ等で実現され、制御部２１によって実行されるプログラムを格納している。また、この記憶部２２は、制御部２１の処理の実行に必要となる種々の情報を保持するワークメモリとしても動作する。
【００１９】
ストレージ部２３は、ハードディスク装置等で実現でき、ドキュメントなどの画像データを格納している。操作部２４は、キーボードやマウスなどであり、利用者の操作の内容を受け入れて制御部２１に出力する。表示部２５は、ディスプレイ等であり、制御部２１から入力される指示に従って利用者に提示するべき情報を表示する。スキャナ２６は、一般的な光学的読取装置で実現でき、画像形成装置１にて用紙上に形成された画像を読み取って得た画像データを制御部２１に出力している。通信部２７は、画像形成装置１に接続されており、形成処理の対象となった画像データ等、種々の情報を画像形成装置１に送信する。
【００２０】
なお、制御部２１が画像形成装置１に対して形成処理の対象となった画像データを送信する際には、利用者からプリントオプションの入力を受けるべく、図２に示すようなインタフェース（一般に画像形成装置１のデバイスドライバによって提供されるインタフェース）を提示する。制御部２１は、このインタフェースに対する操作により、利用者が指定したプリントオプションを取得する。そして制御部２１は、形成処理の対象となった画像データとともに、当該取得したプリントオプションに関する情報も、画像形成装置１に対して送信する。ここで指定されるプリンタオプションとしては、用紙サイズ、使用するトレイ、色補正プロファイル、両面印刷指定の有無、１枚の用紙に印刷するページ枚数（以下、「レイアウト印刷指定」と呼ぶ；例えば「２」ならば２ページ分を１枚の用紙に印刷する）、スクリーンの指定、ページ順序（昇順／降順）などがある。なお、本実施の形態で特徴的なことの一つは、このインタフェースに「プリントオプション読み取り」を指示するインタフェース要素（ボタンＢ）が含まれていることである。このインタフェース要素に関連する制御部２１の処理の内容は後述する。
【００２１】
また色補正プロファイルとは、画像形成装置ごとに固有の情報（固有情報、すなわち画像形成装置によって異なる結果となる可能性のある情報）の一つであり、入力される画素値に対して、その画素値の画素の形成に用いる各色材（シアン（Ｃ）、マゼンタ（Ｍ）、イエロー（Ｙ）、黒（Ｋ）の各色のトナーなど）に対応した色空間上の値を定めるテーブルである。具体的にこの色補正プロファイルは、画像処理装置側の色再現性に一致させるため、デバイス（ディスプレイやプリンタなどの別）に依存しない、色空間（例えばＣＩＥ色空間）上の色に対して、ＣＭＹＫ色空間上のどの色を対応付けるかを表すデータとして記述される。この色補正プロファイル自体は、広く用いられているものであるので、ここでの詳細な説明を省略する。また、ここでは固有の情報の例として色補正プロファイルを主たる例として説明するが、固有情報（画像形成装置によって異なる結果となる可能性のある情報）としては、色補正プロファイルのほか、スクリーン線数の情報やＲＩＰバージョンの情報などがある。
【００２２】
ここで画像形成装置１の制御部１１による記述情報生成処理と、画像形成処理との具体的な内容について説明する。まず、記述情報生成処理について説明する。制御部１１は、画像処理装置２から形成対象の画像データと、その画像データの形成条件に関する情報（例えば上述のプリントオプションであるとする）と、の入力を受けて、プリントオプションの少なくとも一部について符号化した情報を生成する。具体的には、用紙サイズと色補正プロファイルとレイアウト印刷指定との設定内容を記述した記述情報を生成する。ここでは記述情報はバーコード（二次元バーコードやグリフなどを含む）として生成しておく。
【００２３】
制御部１１は、次に、画像形成処理を開始して、この記述情報としてのバーコードを、形成対象の画像データに合成して合成画像データを生成する。なお、この合成の方法としては、印刷領域（インクやトナーが乗せられる部分）以外の領域に選択的に合成することとしてもよい。そして、制御部１１は、合成画像データを画像形成部１３に出力する。
【００２４】
これらの制御部１１の処理により、具体的には図３（ａ）に示す形成対象の画像データに対して、図３（ｂ）に示すようにバーコード（Ｘ）を合成した合成画像データが用紙上に形成されることになる。
【００２５】
次にここで、画像処理装置２の制御部２１によるオリジナル再現処理について説明する。まず、オリジナル再現処理が開始される条件の例について述べる。制御部２１は、ドキュメントの印刷指示を受けて図２に示したプリンタドライバのインタフェースを提示する。ここで、上述の「プリントオプション読み取り」のボタンＢがクリックされると、制御部２１がオリジナル再現処理を開始する。
【００２６】
すなわち、このオリジナル再現処理では、制御部２１は、スキャナ２６にて読取られた記述情報を取得し、当該取得した記述情報から、形成条件に係る情報（プリントオプション）を抽出する。例えば記述情報が符号化された情報であれば、これを復号してプリントオプションを抽出することになる。制御部２１は、抽出したプリントオプションの情報と、印刷指示を受けたドキュメントの画像データとを通信部２７に出力して、画像形成装置１に対して送信出力させる。
【００２７】
これにより、画像形成装置１では、スキャナ２６にて読取られた記述情報に記述されていたプリントオプションに従って画像形成が行われることになる。例えば、当該記述情報に色補正プロファイルの指定が含まれていれば、当該指定された色補正プロファイルを用いて色補正を行って画像データの印刷を行うことになる。また、２ページを１枚の用紙に収める指定が含まれていれば、２ページ分の画像データを１枚の用紙に収めて印刷する。
【００２８】
これにより、印刷物のオリジナルのドキュメントを取得して画像形成する際に、当該印刷物でのプリントオプション等、画像形成条件に基づいて画像形成処理し、印刷物と均等な複製物を生成できる。
【００２９】
［第２実施形態］
本発明の第２の実施形態に係る画像処理システムは、図４に示すように、少なくとも一つの画像形成システム１０と、画像処理装置２とを含んで構成され、画像形成システム１０は、画像形成装置１と、サーバ装置４とを含む。ここで画像形成装置１及び画像処理装置２は、第１の実施の形態に係るものと同様の構成を有する。尤も、それらの制御部１１，２１における処理の内容は少々異なるので、後に当該異なる点について説明する。
【００３０】
サーバ装置４は、図５に示すように、制御部４１と、記憶部４２と、ストレージ部４３と、通信部４４とを含んで構成されている。
【００３１】
サーバ装置４の制御部４１は、記憶部４２に格納されているプログラムに従って動作するＣＰＵであり、画像形成装置１に形成される画像データ（形成用データ）をネットワークを介して受け入れて、ストレージ部４３に格納する。また当該受け入れた画像データ（形成用データ）を画像形成装置１に出力する。
【００３２】
さらにこの制御部４１は、画像処理装置２等から受信される画像データに基づいて、画像形成装置１に形成させる画像データ（形成用データ）を生成するものである。具体的に、この制御部４１は、いわゆるＲＩＰ（Raster Image Process）処理を行うものであり、画像処理装置２から、画像データとして例えばPostScript（登録商標）言語で記述されたものを受信し、当該記述に基づいてラスタイメージである形成用データを生成して出力する。この制御部４１の処理の内容については、後に詳しく述べる。
【００３３】
記憶部４２は、制御部４１によって実行されるプログラムを格納したＲＯＭを含む。また、この記憶部４２は、制御部４１の処理に用いるデータを保持するワークメモリとしても動作する。ストレージ部４３は、制御部４１から入力される指示に従って、ハードディスク装置等であり画像データ（形成用データ）を保持する。
【００３４】
通信部４４は、ネットワークを介して画像処理装置２に接続される第１インタフェースと、画像形成装置１に接続される第２インタフェースとを含む。通信部４４は、第１インタフェースを介して画像処理装置２から入力される画像データ等を受信して、制御部４１に出力している。また、この通信部４４は、制御部４１から入力される指示に従って、第２インタフェースを介して画像形成装置１に対して画像データ等を出力している。
【００３５】
本実施の形態では、画像処理装置２が形成の対象となる画像データを画像形成システム１０がサーバ装置４に送信する。そしてサーバ装置４がＲＩＰ処理を行って生成した画像データ（以下、区別のため、この画像データを形成データと称することとする）を画像形成装置１に送信する。
【００３６】
ここで制御部４１のＲＩＰ処理の内容について説明する。本実施の形態では、画像形成装置１の制御部１１の代りに、この制御部４１が記述情報生成処理と合成画像データを生成する処理とを遂行する。すなわち制御部４１は、画像処理装置２から形成対象の画像データと、その画像データの形成条件に関する情報との入力を受けて、当該形成条件（プリントオプション等）の少なくとも一部について符号化した情報をバーコード（二次元バーコードやグリフなどを含む）として生成する。本実施の形態において特徴的なことの一つは、ここで形成条件の情報に、画像データをＲＩＰ処理する画像形成システム１０（又はサーバ装置４自体）を特定する情報を含めてバーコードを生成することである。
【００３７】
制御部４１は、また、この記述情報としてのバーコードを、形成対象の画像データに合成して合成画像データを生成するとともに、当該合成画像データに基づいてラスタデータ（形成用データ）を生成する。そして制御部４１は、当該生成した形成用データを含んだジョブデータを、通信部４４を介して画像形成装置１に出力する。さらに制御部４１は、形成用データを含むジョブデータと、形成条件に対応して生成されたバーコード等の画像とを関連付けてストレージ部４３に格納する。
【００３８】
本実施の形態では、このようにプリンタサーバとして動作するサーバ装置４において、ジョブデータと、当該ジョブデータに関する形成条件の情報とが関連付けて格納される。制御部４１は、この格納したジョブデータ又はそれに含まれる形成用データの要求をネットワークを介して受けると、当該要求されたジョブデータ又は形成用データを要求元に配信する。この際、制御部４１は、配信した当該ジョブデータ（又は当該形成用データを含むジョブデータ）を削除することとしてもよい。また、形成条件の情報に削除パスワードや配信パスワードを含めておき、要求元から当該パスワードが受信された場合にのみ、削除や配信などを行うようにしてもよい。
【００３９】
具体的には、制御部４１は、格納される各ジョブデータに、それぞれ固有の識別情報を発行し、当該識別情報も上記形成条件に含めてバーコード等の画像として画像形成させおく。そして制御部４１は、画像処理装置２から、形成条件に係る情報として、形成の対象となる形成用データを格納するサーバ装置４を特定する情報と、その形成用データを含むジョブデータを識別する識別情報とを含む情報を取得すると、当該情報によって特定されるサーバ装置４に対して、上記識別情報によって識別されるジョブデータを要求する。
【００４０】
当該要求を受けたサーバ装置４から上記要求に係るジョブデータを取得すると、制御部４１は、当該ジョブデータを画像形成装置１に出力して、画像形成を行わせる。
【００４１】
すなわち、本実施の形態の画像処理装置２は、スキャナ２６で読取った形成条件に係る情報を、そのまま画像形成システム１０のサーバ装置４に送信すれば、形成の対象となる画像データ（ドキュメント）そのものを保持したり、送信したりする必要がない。
【００４２】
また、本実施の形態のように画像形成システム１０が相互に接続されている場合、ＲＩＰのバージョンが互いに異なる場合がある。このとき、例えば同じPostScript（登録商標）のラスタライザであってもバージョンが異なれば、同じPostScript（登録商標）の記述から、異なるラスタデータ（形成用データ）が生成される場合もありうる。そこで本実施の形態において、上記形成条件の情報に、ＲＩＰのバージョンを含めておいてもよい。
【００４３】
このようにしておくと、例えば画像処理装置２側が形成条件の情報とともに、形成の対象となる画像データを送信したときに、当該送信された情報を受信したサーバ装置４が、形成条件の情報に含まれるＲＩＰのバージョンと、自己の制御部４１によって実行されるＲＩＰのバージョン（ＲＩＰ処理のためのプログラムのバージョン）とを比較して、一致していなければ、他の画像形成システム１０のサーバ装置４のうち、受信した形成条件の情報に含まれるＲＩＰバージョンと同じバージョン（または均等なバージョン）のＲＩＰを有しているサーバ装置４を検索する。
【００４４】
この検索は、例えば予め各サーバ装置４のＲＩＰのバージョンと、サーバ装置４とを対応付けるテーブル情報を生成しておき、このテーブル情報を参照して行うことができる。また、予め設定されたサーバ装置４に対してＲＩＰのバージョンを問い合せ、その応答を調べて検索を行ってもよい。
【００４５】
この場合、サーバ装置４は、他のサーバ装置４から画像データとともにＲＩＰ処理要求を受け入れて、当該画像データに基づく形成用データを生成したのち、当該ＲＩＰ処理後の形成用データをＲＩＰ処理要求元の他のサーバ装置４に対して送信する。当該他のサーバ装置４は、この形成用データを受け入れて画像形成装置１に出力し、形成処理を遂行することになる。
【００４６】
［変形例１．取得元特定情報］
なお、ここまでの第１、第２の実施形態の説明において、上記形成条件に係る情報にはさらに、画像データの取得元場所を示す情報（参照情報）を含めてもよい。当該参照情報としては例えばＦＴＰやＨＴＴＰ等の通信プロトコルによって取得可能なＵＲＬ（Uniform Resource Locator）などがある。
【００４７】
すなわち例えば第１の実施形態であれば、画像処理装置２の制御部２１が、形成条件の情報に、形成対象となった画像データの取得元を特定するＵＲＬを含めて、画像形成装置１に送信する。画像形成装置１の制御部１１は、当該ＵＲＬを含む形成条件の情報を符号化した情報をバーコードとして生成する。そして制御部１１は、このバーコードを、形成対象の画像データに合成して合成画像データを生成して、当該合成画像データを画像形成部１３に出力する。
【００４８】
一方、画像処理装置２の制御部１１は、上記処理によって形成された印刷物から、スキャナ２６にて上記形成条件の情報（ＵＲＬを含む）を読取って取得したときには、当該取得したＵＲＬから画像データを取得する。そして、読取った形成条件の情報（ＵＲＬを除いてもよい）とともに当該取得した画像データを画像処理装置２に対して出力する。
【００４９】
また、これら画像処理装置２に対して画像データを提供するサーバ側においては、要求元である画像処理装置２を特定する情報を参照して提供する画像データの少なくとも一部を差替えてもよい（差替処理）。
【００５０】
同様の差替処理は第２の実施の形態においても行うことができる。すなわち、サーバ装置４はジョブデータに含まれる形成データに対して合成する別の形成データ（ラスタデータ）を所定のデータサーバ（不図示）に要求し、当該データサーバが、要求元のサーバ装置４を特定する。データサーバ側には、サーバ装置４を特定する情報にラスタデータが関連付けて保持されており、データサーバは、要求元のサーバ装置４を特定する情報に関連付けられたラスタデータを選択し、選択したラスタデータを要求元のサーバ装置４に送信する。そして、サーバ装置４の制御部４１は、ストレージ部４３に格納していた形成用データに、データサーバから送信されたラスタデータを合成して、その合成結果を画像形成装置１に送信する。
【００５１】
またサーバ装置４にて、予めその一部を互いに異なる画像に差替えたラスタデータを保持しておき、それぞれに形成処理の要求元を特定する情報に関連付けておいてもよい。この場合、画像処理装置２からの形成要求を受けて、当該要求元である画像処理装置２を特定する情報（例えば画像処理装置２に予め設定しておいた場所情報など）に関連付けられたラスタデータを形成用データとして選択し、選択した形成用データを画像形成装置１に出力するようにしてもよい。
【００５２】
この差替処理を用いると、例えばカタログ・ドキュメントの一部を差替えて、形成できるようになり、カタログ請求を受けた店舗ごとに異なる情報（店舗名や電話番号など）を含む印刷物を生成できる。
【００５３】
［変形例２．形成条件に係る情報の種類］
ここまでの第１、第２の実施形態において、形成条件に係る情報は、画像形成の目的に応じて異なるものとしてもよい。具体的に、色校正用、文字校正用、プリフライト用では、それぞれの目的に応じて、均一にしたい形成条件が異なる。
【００５４】
すなわち、この場合は例えば画像形成装置１（又は画像形成システム１０のサーバ装置４）にて、画像処理装置２から取得した形成条件に係る情報のうち、各目的別に予め設定された情報を選択的に符号化し、当該符号化した情報をバーコードとして生成する。また、画像処理装置２にて、予め形成条件の一部を各目的別に予め定められたルールに基づいて選択して画像形成装置１（又は画像形成システム１０のサーバ装置４）側に送信してもよい。
【００５５】
ここで目的別の選択は、図６に示すようなテーブルとして設定しておいてもよい。図６では、アドレス（ＵＲＬ）や、ジョブ名、用紙サイズ、カラーモード、プリンタモード、色補正プロファイル（ＣＭＹＫ色補正）、小冊子作成、差込み印刷の有無、ＲＩＰ済みか否かの情報、ＲＩＰのバージョン、ＰＣのメモリ、フレームメモリ、その他の情報から選択する情報を指定できるようになっている。図６では「○」マークの情報が含められる。「○」マークが付されていない情報は、利用者が任意に設定できることとしてもよい。例えば色校正では色味をチェックする必要から、過去の印刷状態に一致させなければならず、この場合は少なくとも色補正プロファイルに関する情報を含める。プリフライト用であれば、ＲＩＰエラーの有無をチェックする必要から、ＲＩＰに影響する情報（ＲＩＰバージョン、メモリサイズ、用紙サイズなど）を含める。
【００５６】
一方、文字校正用であれば、色補正プロファイルは不要であるが、用紙サイズをそろえて、文字のレイアウトを確認できるようにしておく必要がある。さらに、画像処理装置２側において、図７に示すようなインタフェースを提示して、どの情報をバーコードに含めるかを設定できるようにしておいてもよい。ここで、すべての情報を含める、との指定と、任意に選択できるようにする指定（カスタム）とを含めておくことも好ましい。
【００５７】
［その他の変形例］
なお、画像形成装置１側で、受信された形成条件に含まれる色補正プロファイルが存在しない場合、他のサーバから当該指定された色補正プロファイルを取得するようにしてもよい。また、ここまでの説明では、バーコードにて記録することとしていたが、それだけでなく、形成データに電子透かしの技術を用いて埋込みを行ってもよい。
【００５８】
また、これら第１、第２の実施の形態では、記述情報と画像データとを合成して合成画像を生成し、当該合成画像を形成するようにしているが、記述情報と画像データとを、それぞれ一つの記録媒体の表裏（用紙の表裏）などに形成してもよい。また、記述情報と画像データとを、別々の記録媒体に形成してもよい。
【図面の簡単な説明】
【００５９】
【図１】本発明の第１の実施の形態に係る画像処理システムの一例を示す構成ブロック図である。
【図２】デバイスドライバのインタフェース例を表す説明図である。
【図３】形成される画像データの例を表す説明図である。
【図４】本発明の第２の実施の形態に係る画像処理システムの例を表す構成ブロック図である。
【図５】サーバ装置の例を表す構成ブロック図である。
【図６】形成条件情報として含める情報の設定例を表す説明図である。
【図７】デバイスドライバのインタフェース例を表す説明図である。
【符号の説明】
【００６０】
１  画像形成装置、２  画像処理装置、４  サーバ装置、１０  画像形成システム、１１，２１，４１  制御部、１２，２２，４２  記憶部、１３  画像形成部、１４，２７，４４  通信部、２３，４３  ストレージ部、２４  操作部、２５  表示部、２６  スキャナ。
【図１】
2006001143.tif 000003
【図２】
2006001143.tif 000004
【図３】
2006001143.tif 000005
【図４】
2006001143.tif 000006
【図５】
2006001143.tif 000007
【図６】
2006001143.tif 000008
【図７】
2006001143.tif 000009